(57)【要約】【課題】湯の飛び散りを防ぎ、出湯動作中に出湯ポンプが短時間ＯＦＦしても出湯完了までの時間を短縮し、出湯量の切替りが予測できる電気湯沸かし器を提供する。【解決手段】液体を収容する容器２と、液体を加熱する加熱源３と、液体を容器外へ吐出する出湯ポンプ８と、単位時間当たりの出湯量を段階的に増加させるよう出湯ポンプ８を駆動操作する出湯スイッチ５と、出湯動作中において所定時間内に出湯スイッチのＯＦＦ後の再ＯＮ時には出湯動作の途中から出湯を再開するよう制御する制御手段１２と、出湯量の段階的切替えを報知する報知手段１３とを有するものである。これによって、単位時間当たりの出湯量を段階的に増加させ、出湯開始時に湯の飛び散りを防ぎ、出湯ポンプが短時間ＯＦＦしても出湯動作の途中から出湯を再開して出湯完了までの時間を短縮し、出湯量の段階的切替えの報知により、出湯量の切替りが予測できる。【選択図】図１
2008278925.tif 000002
【特許請求の範囲】
【請求項１】
液体を収容する容器と、液体を加熱する加熱源と、容器内の液体を容器外へ吐出する出湯ポンプと、単位時間当たりの出湯量を段階的に増加させるよう出湯ポンプを駆動操作する出湯スイッチと、出湯動作中において所定時間内に出湯スイッチのＯＦＦ後の再ＯＮ時には出湯動作の途中から出湯を再開するよう制御する制御手段と、出湯量の段階的切替えを報知する報知手段とを有する電気湯沸かし器。
【請求項２】
報知手段は出湯量の段階毎に異なる報知をするようにした請求項１に記載の電気湯沸かし器。
【請求項３】
報知手段は出湯量の段階的切替えの報知を次の切替えまで継続するようにした請求項１または２に記載の電気湯沸かし器。
【請求項４】
報知手段による報知の有無を選択できるようにした請求項１〜３のいずれか１項に記載の電気湯沸かし器。
【発明の詳細な説明】
【技術分野】
【０００１】
本発明は、容器内の液体を出湯ポンプにより容器外へ吐出するタイプの電気湯沸かし器に関するものである。
【背景技術】
【０００２】
従来、この種の電気湯沸かし器において、出湯開始時から出湯ポンプの出力を一定時間内に第１から第２以降の出力まで順次増加させるようにして所定の出湯量を得るものが知られている（例えば、特許文献１参照）。
【特許文献１】特開平９−１５４７３２号公報
【発明の開示】
【発明が解決しようとする課題】
【０００３】
しかしながら、前記従来の構成では、出湯開始時には所定の出湯量より少ない出湯量が得られるため、出湯開始時に湯の飛び散りなどが防げるが、出湯動作中に操作ミスなどで出湯ポンプが短時間でもＯＦＦすると、その度に、毎回、出湯ポンプの出力を出湯開始時の第１から第２以降の出力まで増加させるものである。このため、多量の湯を必要とするときには、出湯完了するまでに時間がかかってしまうものである。また、出湯開始時には出湯ポンプの出力を第１から第２以降の出力増加は自動で行うため、出湯量が変わるタイミングが使用者には分からず、出湯量の切替りが予測できない。このため、微量追加給水を試みたときに出湯量調節が難しく、お湯が容器から溢れたり湯の飛び散りなどが生じるという課題があった。
【０００４】
本発明は、前記従来の課題を解決するもので、出湯開始時に湯の飛び散りを防ぐとともに、出湯動作中に出湯ポンプが短時間ＯＦＦしても出湯完了するまでの時間を短縮し、さらに、出湯量の切替りが予測できる、使い勝手のよい電気湯沸かし器を提供することを目的とする。
【課題を解決するための手段】
【０００５】
前記従来の課題を解決するために、本発明の電気湯沸かし器は、液体を収容する容器と、液体を加熱する加熱源と、容器内の液体を容器外へ吐出する出湯ポンプと、単位時間当たりの出湯量を段階的に増加させるよう出湯ポンプを駆動操作する出湯スイッチと、出湯動作中において所定時間内に出湯スイッチのＯＦＦ後の再ＯＮ時には出湯動作の途中から出湯を再開するよう制御する制御手段と、出湯量の段階的切替えを報知する報知手段とを有するものである。
【０００６】
これによって、出湯ポンプは単位時間当たりの出湯量を段階的に増加させるので、出湯開始時に湯の飛び散りを防ぎ、出湯動作中に出湯ポンプが短時間ＯＦＦしても出湯動作の途中から出湯を再開するため、出湯完了するまでの時間が短縮でき、さらに、出湯量の段階的切替えの報知により、出湯量の切替りが予測でき、使い勝手のよい電気湯沸かし器を提供できる。
【発明の効果】
【０００７】
本発明の電気湯沸かし器は、出湯開始時に湯の飛び散りを防ぐとともに、出湯動作中に出湯ポンプが短時間ＯＦＦしても出湯完了するまでの時間を短縮し、さらに、出湯量の切替りが予測できる、使い勝手のよいものである。
【発明を実施するための最良の形態】
【０００８】
第１の発明は、液体を収容する容器と、液体を加熱する加熱源と、容器内の液体を容器外へ吐出する出湯ポンプと、単位時間当たりの出湯量を段階的に増加させるよう出湯ポンプを駆動操作する出湯スイッチと、出湯動作中において所定時間内に出湯スイッチのＯＦＦ後の再ＯＮ時には出湯動作の途中から出湯を再開するよう制御する制御手段と、出湯量の段階的切替えを報知する報知手段とを有する電気湯沸かし器とするものである。これによって、出湯ポンプは単位時間当たりの出湯量を段階的に増加させるので、出湯開始時に湯の飛び散りを防ぎ、出湯動作中に出湯ポンプが短時間ＯＦＦしても出湯動作の途中から出湯を再開するため、出湯完了するまでの時間が短縮でき、さらに、出湯量の段階的切替えの報知により、出湯量の切替りが予測でき、使い勝手のよい電気湯沸かし器を提供できる。
【０００９】
第２の発明は、特に、第１の発明において、報知手段は出湯量の段階毎に異なる報知をするようにしたことにより、出湯ステップが切替って段階的に出湯量が増加したときに、使用者に出湯レベルが増加していずれの出湯段階の開始であるかを同時に知らしめることができ、利便性を向上することができる。
【００１０】
第３の発明は、特に、第１または第２の発明において、報知手段は出湯量の段階的切替えの報知を次の切替えまで継続するようにしたことにより、例えば、出湯量が増加してきて湯の飛び散りの危険性がある出湯動作中は、常時、使用者に飛び散りの注意を促すことになり、使い勝手を向上することができる。
【００１１】
第４の発明は、特に、第１〜第３のいずれか１つの発明において、報知手段による報知の有無を選択できるようにしたことにより、使用者が出湯動作中の報知は不要である、また煩わしいと感じたときは、出湯動作中の報知の有無を選択でき、利便性を向上することができる。
【００１２】
以下、本発明の実施の形態について、図面を参照しながら説明する。なお、この実施の形態によって本発明が限定されるものではない。
【００１３】
（実施の形態）
図１〜図３は、本発明の実施の形態における電気湯沸かし器を示している。
【００１４】
図１に示すように、本実施の形態における電気湯沸かし器は、商用電源を供給するための電源プラグ１、液体を収容する容器２、容器２を加熱する加熱源３、容器２内の液体の温度を検知する温度検知手段４、容器２内の液体を容器２外へ吐出する出湯ポンプ８、単位時間当たりの出湯量を段階的に増加させるよう出湯ポンプ８を駆動操作する出湯スイッチ５、出湯スイッチ５がＯＮされている時間を計測する出湯スイッチＯＮ時間計測手段６、出湯スイッチ５がＯＦＦされている時間を計測する出湯スイッチＯＦＦ時間計測手段７を備えている。出湯スイッチ５は回動ツマミ式、タッチ式、押圧式など形式は問わないものである。
【００１５】
また、電気湯沸かし器は、出湯ポンプ８により容器２内の液体が吐出されるパイプ９、液体の吐出口１０、容器２中の液体の温度や出湯ポンプ８の吐出量などを表示する表示手段１１、加熱源３、出湯ポンプ８、表示手段１１を制御する制御手段１２を備えている。制御手段１２は、出湯動作中において操作ミスなどで出湯スイッチ５がＯＦＦ後、所定時間内に再ＯＮ時には出湯初期の状態に戻ることなく、出湯動作の途中から出湯を再開するよう制御するものである。
【００１６】
また、電気湯沸かし器は、出湯ポンプ８への印加電圧の変化による出湯量の段階的切替えを報知する報知手段１３を備えている。報知手段１３は制御手段１２により制御されるものであり、出湯量の段階毎に異なる報知をするようにしている。また出湯量の段階的切替えの報知を次の切替えまで継続するようにしている。さらに報知手段１２による報知の有無は選択切替え手段により適宜選択できるようになっている。
【００１７】
以上のように構成された電気湯沸かし器の動作について、図２、図３に基づき説明する。
【００１８】
図２は、出湯スイッチ５と制御手段１２の制御内容を説明するフローチャートであり、図３は、電気湯沸かし器の動作を示すタイムチャートである。
【００１９】
図２に示すように、電源ＯＮ中、出湯スイッチ５がＯＮされると（ＳＴＥＰ１）、制御手段１２により出湯ポンプ８へ電圧Ｖ１（本実施の形態では３．０Ｖ）を印加することによって出湯ポンプ８の駆動を開始する（ＳＴＥＰ２）。このとき、駆動開始と同時に出湯スイッチＯＮ時間計測手段６は出湯スイッチ５のＯＮ時間を計測開始する（ＳＴＥＰ３）。そして、電圧Ｖ３での出湯ポンプ駆動が未実施（ＳＴＥＰ４）、または、実施済みでも出湯スイッチＯＦＦ時間が２秒以上ならば（ＳＴＥＰ５）、駆動時間が第１の所定時間（本実施の形態では５秒）経過すると（ＳＴＥＰ６）、制御手段１２による出湯ポンプ８への印加電圧をＶ２（本実施の形態では４．０Ｖ）に変更する（ＳＴＥＰ８）。電圧Ｖ３での出湯ポンプ駆動が実施済み（ＳＴＥＰ４）で、かつ、出湯スイッチＯＦＦ時間が２秒未満（ＳＴＥＰ５）ならば、駆動時間が第２の所定時間（本実施の形態では３秒）経過すると（ＳＴＥＰ７）、制御手段１２による出湯ポンプ８への印加電圧をＶ２（本実施の形態では４．０Ｖ）に変更する（ＳＴＥＰ８）。さらに、駆動時間が第３の所定時間（本実施の形態では５秒）経過すると（ＳＴＥＰ９）、制御手段１２による出湯ポンプ８への印加電圧をＶ３（本実施の形態では５．０Ｖ）に変更し（ＳＴＥＰ１０）、電圧Ｖ３での出湯ポンプ駆動が実施済みフラグをセットする（ＳＴＥＰ１１）。出湯ポンプ８へ電圧Ｖ３を印加中に、出湯スイッチ５がＯＦＦされると（ＳＴＥＰ１２）、同時に出湯スイッチＯＦＦ時間計測手段７は出湯スイッチ５のＯＦＦ時間を計測開始し（ＳＴＥＰ１３）、第４の所定時間（本実施の形態では２秒）以内に再度出湯スイッチ５がＯＮされると（ＳＴＥＰ１）、制御手段１２により出湯ポンプ８へ電圧Ｖ１（本実施の形態では３．０Ｖ）を印加することによって出湯ポンプ８の駆動を再度開始する（ＳＴＥＰ２）。以上の動作は、図３のタイムチャートに示すとおりである。
【００２０】
そして、制御手段１２により出湯ポンプ８へ電圧を印加途中、電圧Ｖ１から電圧Ｖ２、電圧Ｖ２から電圧Ｖ３へと印加電圧を変更するときには、報知手段１３により切替ったことを音声、ブザー、ＬＥＤ出力またはそれらの組み合わせなどによって報知する。
【００２１】
なお、電圧Ｖ１での出湯ポンプ駆動時間５秒というのはマグカップ一杯分、電圧Ｖ１を５秒と電圧Ｖ２を５秒駆動させた場合の合計１０秒間というのはカップ麺一杯分、電圧Ｖ３での駆動となる合計１０秒以上というのは鍋、ボールなどを目安としている。
【００２２】
なお、本実施の形態では、第１、２の所定時間を５秒としたが、電圧Ｖ１、Ｖ２の大きさによっては４秒、または６秒など任意の時間に変更させてもよい。
【００２３】
また、沸騰直後など出湯し難い条件のときは、電圧Ｖ１、Ｖ２、Ｖ３の自動切替りは実施せず、常時最大電圧Ｖ１で出湯するとしてもよい。
【００２４】
なお、表示手段１１により吐出中の吐出量を表示するときは点灯、点滅など任意のパターンにて表示させてもよい。
【００２５】
また、本実施の形態では、第３の所定時間を２秒としたが、出湯スイッチ５の形状、構成などによっては１秒、または３秒など任意の時間に変更させてもよい。
【００２６】
また、本実施の形態ではＶ１、Ｖ２、Ｖ３の３段階としたが、吐出口１０から吐出する流量の微調整が可能な流量経路ならば、Ｖ１、Ｖ２、Ｖ３、Ｖ４の４段階、またはそれ以上の多段階切替えとしてもよい。
【００２７】
なお、報知手段１３による報知は、所定時間のＬＥＤ点灯や点滅、複数回のブザー報知、音声による案内、ＬＣＤによる表示、またはこれらの組み合わせなど、機器の構成に応じて任意のパターンにて報知するとしてもよい。
【００２８】
なお、報知手段１３による報知は段階毎に異なる報知パターンとすると、出湯ステップが切替って段階的に出湯量が増加したときに、使用者に出湯レベルが増加していずれの出湯段階の開始であるかを同時に知らしめることができ、利便性を向上することができる。
【００２９】
また、報知手段１３は出湯量の段階的切替えの報知を次の切替えまで継続するようにすることにより、すなわち、報知は印加電圧を変更させるときのみではなく、一旦変化させると次に変化させるまでは報知を継続させるようにすれば、例えば、出湯量が増加してきて湯の飛び散りの危険性がある出湯動作中は、常時、使用者に飛び散りの注意を促すことになり、使い勝手を向上することができる。
【００３０】
また、報知手段１３による報知は使用者が不要であると判断するならば報知を取消すことができる報知有無選択機能により選択できるようにすると、使用者が出湯動作中の報知は不要である、また煩わしいと感じたときは、出湯動作中の報知の有無を選択でき、利便性を向上することができる。
【００３１】
このように、本実施の形態においては、必要な吐出量の自動調整中での出湯量切替りタイミングを使用者が実感でき、また、多量の湯をできるだけ早く出湯もでき、使い勝手を向上させることができる。また連続出湯時、長い間連続で出湯スイッチを操作している途中、何らかの理由により出湯スイッチ操作が一旦止まってしまっても、直ぐに再度操作し直したときは、出湯ポンプの出力を通常以上のステップから駆動することにより、多量の湯をできるだけ早く出湯でき、また、時間をおいて操作し直したときは通常以下のステップから駆動することにより、出湯時の湯の飛び散りを抑えることができ、使用者の使用タイミング状況に応じて出湯流量を自動調節可能である。さらに、出湯量の自動調整中には出湯ステップが切替る毎にステップの切替りを報知することで、使用者に出湯量が切替ったことを知らしめることもでき、使い勝手を向上させた電気湯沸かし器を提供することができる。
【産業上の利用可能性】
【００３２】
以上のように、本発明にかかる電気湯沸かし器は、出湯開始時に湯の飛び散りを防ぐとともに、出湯動作中に出湯ポンプが短時間ＯＦＦしても出湯完了するまでの時間を短縮し、さらに、出湯量の切替りが予測できる、使い勝手のよいものであるので、卓上使用式はもちろんのことビルトイン式などにも適用できる。
【図面の簡単な説明】
【００３３】
【図１】本発明の実施の形態における電気湯沸かし器の断面図
【図２】同電気湯沸かし器の制御内容を説明するフローチャート
【図３】同電気湯沸かし器の動作を示すタイムチャート
【符号の説明】
【００３４】
２  容器
３  加熱源
４  温度検知手段
５  出湯スイッチ
６  出湯スイッチＯＮ時間計測手段
７  出湯スイッチＯＦＦ時間計測手段
８  出湯ポンプ
１２  制御手段
１３  報知手段
【図１】
2008278925.tif 000003
【図２】
2008278925.tif 000004
【図３】
2008278925.tif 000005